(57)【要約】【課題】軟便や血液等の高粘度液に対する漏れ防止効果の高い増粘処理物品を提供すること。【解決手段】多価金属イオンの存在下で増粘し得る多糖類１０を含有し、且つ多糖類１０が体液又は排泄物中の水分中に溶解又は解離し得る状態で存在している、体液又は排泄物の増粘処理物品１。多糖類１０は多価金属イオンを含有していないことが好適である。多糖類１０が、パルプ繊維を主体とする液保持性の吸収層に含有されていることも好適である。【選択図】図２
2010148923.tif 000002
【特許請求の範囲】
【請求項１】
多価金属イオンの存在下で増粘し得る多糖類を含有し、且つ該多糖類が体液又は排泄物中の水分中に溶解又は解離し得る状態で存在している、体液又は排泄物の増粘処理物品。
【請求項２】
液保持性の吸収層を有する請求項１記載の体液又は排泄物の増粘処理物品。
【請求項３】
上記多糖類が多価金属イオンを含有していない請求項１又は２記載の体液又は排泄物の増粘処理物品。
【請求項４】
上記多糖類がパルプ繊維を主体とする上記吸収層に含有されている請求項２記載の体液又は排泄物の増粘処理物品。
【請求項５】
上記吸収層が液透過性の表面材と液不透過性の防漏層とによって挟持されており、上記多糖類がパルプ繊維を主体とする上記吸収層と上記表面材との間に介在されている請求項２記載の体液又は排泄物の増粘処理物品。
【請求項６】
上記多糖類がペクチン、ゲランガム、κ−カラギーナン、グルコマンナン、グアーガム、カゼイン、アルギン酸ナトリウム又はアルギン酸プロピレングリコールからなる請求項１〜５の何れかに記載の体液又は排泄物の増粘処理物品。
【発明の詳細な説明】
【技術分野】
【０００１】
本発明は使い捨ておむつや生理用ナプキン、布おむつ用ライナー、パンティライナー、外科用血液吸収物品等の体液又は排泄物の増粘処理物品に関し、特に軟便や血液等の高粘度液に対する漏れ防止効果の高い体液又は排泄物の増粘処理物品に関する。
【背景技術】
【０００２】
使い捨ておむつや生理用ナプキン等の吸収性物品では、排泄物の吸収体として、ポリアクリル酸塩架橋体等からなる高吸収性ポリマーの粒子がパルプ繊維中に分散されてなるものが用いられている。
【０００３】
しかし、高吸収性ポリマーは、吸収体中において移動せず、それが存在する位置へ液体が到達するのを待って初めて吸収・固定化効果を示すものである。従って、透過・拡散速度の小さい軟便や血液等の高粘度液が排泄された場合には、これらの液がすべて高吸収性ポリマーの存在する位置まで到達できないか、又は高吸収性ポリマーの存在する位置まで到達してすべて吸収・固定化されるまでに時間がかかり、その間に液漏れが発生することがあった。高吸収性ポリマーを吸収性物品の肌当接面近傍に存在させて液が到達する迄の時間を短くすることも考えられるが、その場合には高吸収性ポリマーのゲルブロッキング現象が生じて逆に吸収阻害が起こることもある。
【０００４】
高吸収性ポリマーに代わる吸収体として架橋膨張可能多糖を用いた吸収性物品が、特許文献１において提案されている。しかし、この吸収性物品は、上記多糖を、固体物質の表面に結合させるか、又は基質マトリックスに組み込ませて粒子状で存在させ、それによって圧力下でも液体を吸収し、長時間貯液性を向上させようとするものである。従って、結合又は組み込まれた上記多糖は、高吸収性ポリマーと同様に、自ら排泄液中を拡散することなく、液が到達するのを待って初めて吸収・固定化効果を示すものである。それ故、上記吸収性物品は、高吸収性ポリマーを用いた従来の吸収性と同様に、高粘度液に対する十分な漏れ防止効果を有しない。
【先行技術文献】
【特許文献】
【０００５】
【特許文献１】国際公開ＷＯ９５／１７１４７号
【発明の概要】
【発明が解決しようとする課題】
【０００６】
従って、本発明は、特に軟便や血液等の高粘度液に対する漏れ防止効果の高い体液又は排泄物の増粘処理物品を提供することを目的とする。
また、本発明は、特に、軟便の排泄頻度の高い新生児や乳幼児が着用する使い捨ておむつや布おむつ用ライナー、あるいは生理用ナプキン、パンティライナーとして有用な体液又は排泄物の増粘処理物品を提供することを目的とする。
【課題を解決するための手段】
【０００７】
本発明者らは、特定の多糖類を特定の状態下に含有させて、該多糖類の増粘を利用することにより上記目的が達成されることを知見した。
【０００８】
本発明は上記知見に基づきなされたもので、多価金属イオンの存在下で増粘し得る多糖類を含有し、且つ該多糖類が体液又は排泄物中の水分中に溶解又は解離し得る状態で存在している、体液又は排泄物の増粘処理物品を提供することにより上記目的を達成したものである。
【発明の効果】
【０００９】
本発明によれば、軟便や経血等の高粘度液に対する漏れ防止効果の高い増粘処理物品が提供される。
本発明の増粘処理物品は、特に軟便の排泄頻度の高い新生児や乳幼児が着用する使い捨ておむつ、布おむつ用ライナー、生理用ナプキン、パンティライナー、失禁パッド、母乳パッド、外科用血液吸収物品等として有用である。
【図面の簡単な説明】
【００１０】
【図１】本発明の増粘処理物品の一の実施形態としての使い捨ておむつを、表面材側からみた一部破断平面図である。
【図２】図１のＩ−Ｉ線に沿う拡大断面図である。
【発明を実施するための形態】
【００１１】
以下、本発明の体液又は排泄物の増粘処理物品（以下、単に増粘処理物品という）の好ましい実施形態を、該増粘処理物品として使い捨ておむつを例にとり図面を参照して説明する。
【００１２】
本実施形態の使い捨ておむつ１は、図１及び図２に示すように、不織布や有孔フィルム等からなる液透過性の表面材２と、液不透過性の防漏層としての裏面材３と、表面材２及び裏面材３間に介在される液保持性の吸収層としての吸収体４とを有して構成されている。吸収体４は、おむつ１の股下領域に対応する領域がくびれた砂時計形状に湾曲形成され、表面材２及び裏面材３も、吸収体４の形状に即しておむつ１の股下領域に対応する領域が湾曲形成されている。そして、吸収体４は、表面材２及び裏面材３によって挟持・固定されている。
【００１３】
吸収体４の前後および左右端縁部から外方に延出する表面材２及び裏面材３によって形成される背側および腹側のウエスト部５，５'と一対のレッグ部６，６とには、おむつ１を着用した際に、ウエスト部５，５'とレッグ部６，６とを着用者の身体にフィットさせるための弾性伸縮部材７が、表面材２及び裏面材３によって固定されて設けられている。背側のウエスト部５の幅方向両端にはそれぞれテープファスナー等からなる一対の止着具８が取り付けられており、また、腹側のウエスト部５'における裏面材３上には矩形状のランディングテープ等からなる被着具（図示せず）が貼付されている。そして、本実施形態の使い捨ておむつ１が着用される際に、止着具８，８が被着具上に止着するようになされている。以上の構成は、従来の使い捨ておむつと同様である。
【００１４】
而して本実施形態の使い捨ておむつ１においては、図２に示すように、吸収体４は上層吸収体４ａ及び下層吸収体４ｂの２層構造からなっている。上層吸収体４ａは、パルプ繊維９を主体とし、該パルプ繊維９中に多価金属イオンの存在下で増粘し得る多糖類の粉末１０が上層吸収体４ａの平面方向及び厚さ方向の全域に亘って均一に分散されている。そして、これらがティッシュペーパー等の薄手の吸収紙１１で被覆され上層吸収体４ａを形成している。一方、下層吸収体４ｂはパルプ繊維（図示せず）中に高吸収性ポリマーの粒子１２が均一に分散・混合されて形成されている。尚、後述する実施例から明らかなように、下層吸収体４ｂは高吸収性ポリマーの粒子１２のみから構成されていてもよい。
【００１５】
使い捨ておむつ１に上記多糖類を含有させることによって、特に軟便や血液等の高粘度液に対する漏れ防止効果が高くなることが本発明者らの検討の結果判明した。この理由は次のように推測される。従来の使い捨ておむつや生理用ナプキン等の吸収体に含まれている高吸収性ポリマーは、上述の通り、吸収体中において移動せず、それが存在する位置へ液体が到達するのを待って初めて吸収・固定化効果を示すという、いわば受動的な吸収・固定化機構を有している。これに対して上記多糖類は高吸収性ポリマーと同様にゲル化による液の固定化効果を示し、しかも水中に溶解又は解離して拡散する性質があることから、排泄された液と上記多糖類との接触がひとたび起これば、当該接触部分の液が固定化されると共に上記多糖類が液中に溶解又は解離して拡散していき上記多糖類が存在する位置から離れた位置にある液も固定化される。つまり、上記多糖類はいわば能動的な吸収・固定化機構を有している。従って、上記高粘度液すべてが上記多糖類の存在する位置まで到達できなくても該高粘度液を固定化することができる。その上、本発明では、上記多糖類が体液又は排泄物中に微量含まれる多価金属イオン（例えばカルシウムイオンやアルミニウムイオン）と反応し錯体が形成されて該多糖類自身が増粘し、これが、排泄された液と接触することによって初めて該液を増粘させて、その固定化効果が発現する性質を利用している。上記多糖類のこのような性質によって、尿等の低粘度液は勿論のこと軟便や血液等の高粘度液に対する漏れ防止効果も高くなる。しかも上記多糖類は高吸収性ポリマーと異なりゲルブロッキングの問題が起こらないので、使い捨ておむつや生理用ナプキン等の肌当接面近傍に存在させることも可能となる。
【００１６】
上記多糖類としては、多価金属イオンの存在下で増粘し得るものが用いられる。また上記多糖類は、僅かの高粘度液（水分）と接触することで該高粘度液中に素早く溶解又は解離し拡散して、該高粘度液を固定化する必要がある。従って、上記多糖類は多価金属イオンを含有していないことが好ましい。更に、本発明の増粘処理物品は、多価金属イオンを含有していないことが好ましい。しかし、実際には上記多糖類の製造工程や、上記増粘処理物品の製造工程及び該増粘処理物品の各構成部材の製造工程で微量の多価金属イオンが不可避的に混入する場合がある。従って、本発明において多糖類又は増粘処理物品が多価金属イオンを含有していないとは、全く多価金属イオン又は水中で多価金属イオンを生じさせる物質を含まない場合、及び漏れ防止効果を発揮し得る程度の増粘が発現するのに許容される量までの多価金属イオン又は水中で多価金属イオンを生じさせる物質が不可避的に混入している場合を包含する。
【００１７】
本明細書において多価金属イオンを含有しない多糖類とは金属塩を形成していない多糖類そのもの及び１価の金属イオンと塩を形成している多糖類を意味する。金属塩を形成していない多糖類としてはペクチン、ゲランガム、κ−カラギーナン、グルコマンナン、グアーガム、カゼイン、アルギン酸プロピレングリコール等が挙げられる。１価の金属イオンと塩を形成している多糖類としては、アルギン酸ナトリウム等が挙げられる。好ましく用いられる多糖類はコストや水に対する溶解性の点からの点から、ペクチン、アルギン酸ナトリウム、ゲランガム及びκ−カラギーナン等である。
【００１８】
また、上記多糖類は、上述した通り排泄された液中に積極的に溶解・拡散していき該液を増粘させるものであるから、水溶性であるか又は水に解離し得るものである。ここで、水に解離するとは、完全に水に溶解するのではなく、水中に分散可能な状態となっており、多糖類の分子鎖が絡まり合った状態で水中に存在してもよいことを意味する。また、完全に水に溶解するとは、全て一多糖類の分子がバラバラに水に水和することをいう。
【００１９】
本発明において上記多糖類は排泄された液に対して敏感に反応して増粘することが要求される。従って、上記多糖類は水中に溶解又は解離し得る状態で上記増粘処理物品中に存在することが必要である。これは、多糖類を吸収性物品の基質マトリックスに組み込み固定化する技術である上述のＷＯ９５／１７１４７とは全く異なるものである。上記多糖類が水中に溶解又は解離し得る状態とは、例えば、図１及び図２に示すように、上記多糖類の粉末が吸収体中に分散されている状態や、吸収体上面（肌当接面）に散布されているような状態をいう。
【００２０】
上記多糖類の増粘の速度や増粘により形成されたゲルの物性等を適切なものとするために、そのエステル化度を調整したり、有機酸等を共存させることでｐＨを調整してもよい。
【００２１】
上記多糖類は上述の通り粉末の状態で用いられてもよく、その他、粒子の状態や水溶性のカプセルに内包された状態で用いられてもよい。粉末又は粒子の状態で用いられる場合、その大きさは１０〜１０００μｍ、特に５０〜５００μｍであることが好ましい。カプセルに内包された状態で用いられる場合、該カプセルの大きさは３００〜２０００μｍ、特に５００〜１０００μｍであることが好ましい。
【００２２】
上記多糖類の使用量は、コスト及び増粘能力（モレ防止効果）の点から１０〜２００ｇ／ｍ2、特に３０〜１００ｇ／ｍ2であることが好ましい。また、上記パルプ繊維の使用量との重量比（多糖類／パルプ繊維）は、１０／１０００〜２００／５０、特に１／５〜１／１であることが好ましい。上記パルプ繊維の使用量は５０〜１０００ｇ／ｍ2、特に５０〜３００ｇ／ｍ2であることが好ましい。
【００２３】
下層吸収体４ｂにおける高吸収性ポリマーの使用量は、上層吸収体４ａにおける上記多糖類及びパルプ繊維の使用量とのバランスを考慮して、０〜５００ｇ／ｍ2、特に５０〜３００ｇ／ｍ2であることが好ましい。
【００２４】
上記多糖類をおむつ１中に含有させる位置は、上記実施形態の場合に限られない。例えば、上記多糖類を上層吸収体４ａ中に含有させることに代えて、上層吸収層４ａと表面材２との間に層状に介在させてもよい。また、表面材２や吸収紙１１に所定の手段、例えばコーティングなどによって担持させてもよい。また、レッグ部６，６やウエスト部５，５'又は必要に応じておむつ１の左右両側部に形成される立体ギャザーに存在させてもよい。いずれの位置に含有させる場合においても、上記多糖類は均一に存在させてもよく、或いは所定のパターン、例えば多条、格子状、ドット状等のパターンで存在させてもよい。
【００２５】
上記実施形態のおむつ１においては、従来のおむつと異なり吸収体中に難分解性物質を含まないので（従来おむつは吸収体中に、難分解性物質である、ポリアクリル酸ナトリウムを主成分とする高吸収性ポリマーを含有している）、吸収体の生分解が可能である。従って、本実施形態のおむつ１における表面材２及び裏面材３を生分解可能な材料から形成することにより、おむつ１全体がほぼ生分解可能となる。
【００２６】
以上、本発明の増粘処理物品をその好ましい実施形態に基づき説明したが、本発明は上記実施形態に制限されず、本発明の趣旨を逸脱しない範囲において種々の変更が可能である。
例えば、上記実施形態においては、おむつ１中に高吸収性ポリマーを含有させなくてもよい。
また、上記多糖類を、おむつ１の液吸収面全域でなく、特定の領域にのみ含有させてもよい。
また、吸収体４は単層でも良く、その場合には吸収体の肌当接面側における多糖類の量を相対的に増やすことで、吸収体を２層にした場合と同様の効果が得られる。
また、本発明の効果を損なわない範囲で、上記多糖類を抗菌剤、防腐剤、防カビ剤と共存させることもできる。抗菌剤としては、塩化ベンゼトニウムや塩化ベンザルコニウムなど、防腐剤としては、パラベン類（エチルパラベン、メチルパラベン）などが挙げられる。これらを共存させることで、保存中に菌が発生することを抑えることができる。更にｐＨ緩衝剤、抗炎症剤、リパーゼ抑制剤、ウレアーゼ抑制剤を共存させることで、特に軟便に対するオムツカブレも同時に抑制することができる。
また、本発明の増粘処理物品は、使い捨ておむつの他、吸収体を有する衛生用品である生理用ナプキン、失禁パッド及び母乳パッド等、吸収体を有しない衛生用品である布おむつ用ライナー及びパンティライナー、並びに包帯等の外科用血液吸収物品等としても適用することができる。
【００２７】
〔実施例１〕
ティッシュペーパーからなる吸収紙上にフラッフパルプとペクチン粉末（粒子サイズ１５０μｍ）との混合物を積繊し、この混合物を該吸収紙で被覆して上層吸収層を形成した。フラッフパルプの坪量は５０ｇ／ｍ2であり、ペクチン粉末の坪量は５０ｇ／ｍ2であった。ポリエチレンシートからなる裏面材上に、高吸収性ポリマーの粒子を坪量２００ｇ／ｍ2で散布して下層吸収層を形成し、この上に上記の上層吸収層を重ねた。その上をポリプロピレン繊維のサクションヒートボンド不織布からなる表面材で被覆し、裏面材と表面材との周縁部に弾性伸縮部材を介在させてこれらを接合・固定することによって図１及び２に示す使い捨ておむつを得た。尚、この使い捨ておむつ（ペクチン粉末を含む）には、多価金属イオンは実質的に含有されていなかった。
【００２８】
〔実施例２〕
実施例１において、上層吸収層にペクチン粉末を含有させず、その代わりに上層吸収層と表面材との間にペクチン粉末を坪量５０ｇ／ｍ2で散布する以外は実施例１と同様にして使い捨ておむつを得た。
【００２９】
〔実施例３〕
実施例１において、上層吸収層にペクチン粉末を含有させず、その代わりに予め水を散布しておいた表面材にペクチン粉末を散布し、ペクチンの自着性を利用することによって表面材にペクチン粉末を担持量５０ｇ／ｍ2で担持させる以外は実施例１と同様にして使い捨ておむつを得た。
【００３０】
〔実施例４〜６〕
実施例１で用いたペクチンに代えて、アルギン酸ナトリウム（実施例４）、ゲランガム（実施例５）、及びκ−カラギーナン（実施例６）を用いる以外は、実施例１と同様にして使い捨ておむつを得た。
【００３１】
〔比較例１〕
実施例１において、ペクチン粉末に代えて高吸収性ポリマーの粒子を上層吸収層に含有させる以外は実施例１と同様にして使い捨ておむつを得た。
【００３２】
〔性能評価〕
実施例及び比較例で得られた使い捨ておむつの性能を評価するため、下記の方法で漏れ試験を行った。また、実施例１及び４〜６で用いた多糖類について、その増粘効果を評価するため、下記の方法で増粘試験を行った。これらの結果を表１に示す。
【００３３】
〔漏れ試験〕
一般のモニター１０人（生後１２ヶ月未満の乳児）に実施例及び比較例で得られた使い捨ておむつ各３０枚を使用してもらい、全使用枚数で漏れたおむつの枚数を除した値を漏れ率として漏れの評価をした。
漏れ率（％）＝｛（漏れたおむつの枚数）／（全使用枚数）｝×１００
【００３４】
〔増粘試験〕
カルシウムイオンを０．１重量％含有する塩化カルシウム水溶液５００ミリリットルに、実施例１及び４〜６で用いた多糖類を濃度が０．２重量％となるようにそれぞれ添加した。多糖類の添加前後の水溶液の動粘度（２０℃）を、東京計器製Ｂ型粘度計（Ｂ８Ｍ型）を用いて測定した。多糖類の添加後の動粘度は、添加３０秒後に測定した。この場合、不均一ゲル化が起こってもそのまま測定した。
【００３５】
【表１】
2010148923.tif 000003
【００３６】
表１に示す結果から明らかなように、多糖類が含有されている各実施例のおむつ（本発明品）は、多糖類が含有されていない比較例のおむつに比して、高粘度液に対する漏れ防止効果が高いことが判る。
【符号の説明】
【００３７】
１  使い捨ておむつ（増粘処理物品）
２  表面材
３  裏面材
４  吸収体
１０  多糖類の粉末
【図１】
2010148923.tif 000004
【図２】
2010148923.tif 000005
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
上層吸収体及び下層吸収体の２層構造からなる液保持性の吸収体を有し、
上層吸収体は、多価金属イオンの存在下で増粘し得る多糖類を含有し、該多糖類は多価金属イオンを含まず、且つ該多糖類が体液又は排泄物中の水分中に溶解又は解離し得る状態で存在しており、
下層吸収体は、パルプ繊維中に高吸収性ポリマーの粒子が分散・混合されて形成されているか、又は高吸収性ポリマーの粒子のみから形成されている、体液又は排泄物の増粘処理物品。
【請求項２】
上記多糖類がパルプ繊維を主体とする上記吸収層に含有されており、該上層吸収体における該多糖類と該パルプとの重量比が１０／１０００〜２００／５０である請求項１記載の体液又は排泄物の増粘処理物品。
【請求項３】
上記吸収層が液透過性の表面材と液不透過性の防漏層とによって挟持されており、上記多糖類が、５０〜１０００ｇ／ｍ2のパルプ繊維を主体とする上記吸収層と上記表面材との間に介在されている請求項１記載の体液又は排泄物の増粘処理物品。
【請求項４】
上記多糖類がペクチン、ゲランガム、κ−カラギーナン、グルコマンナン、グアーガム、アルギン酸ナトリウム又はアルギン酸プロピレングリコールからなる請求項１記載の体液又は排泄物の増粘処理物品。